(57)【要約】【課題】  任意の椅子の背面側に視覚的な演出手段を備え、設置や移動，取り外し等も容易に行え、既存の遊技場等にも直ちに適用可能とする。【解決手段】  遊技場に設置される各遊技機に対応して備えられる椅子３に取り付けられる遊技場用の椅子カバー３０であり、椅子３の背もたれ部３ａに着脱可能に装着されるカバー本体３１と、椅子３の背もたれ部３ａの背面側に位置するカバー本体表面に、外部から視認可能に配設される表示装置３２と、表示装置３２を駆動制御して所定の表示を行わせる制御手段と、制御手段に電源を供給するバッテリ３３と、カバー本体３１を椅子３から取り外し不能にロックするロック３４を備える構成としてある。【選択図】  図２
2006136593.tif 000002
【特許請求の範囲】
【請求項１】
遊技場に備えられる椅子に取り付けられる遊技場用椅子カバーであって、
前記椅子の背もたれ部に着脱可能に装着されるカバー本体と、
前記椅子の背もたれ部背面側に位置する前記カバー本体の表面に、外部から視認可能に配設される表示装置と、
前記表示装置を駆動制御して所定の表示を行わせる制御手段と、
を備えることを特徴とする遊技場用椅子カバー。
【請求項２】
前記制御手段は、外部から所定の駆動信号を無線入力することにより前記表示装置を駆動制御する請求項１記載の遊技場用椅子カバー。
【請求項３】
前記駆動信号が、遊技場に備えられる遊技機の状態に応じて前記制御手段に無線入力される請求項２記載の遊技場用椅子カバー。
【請求項４】
前記椅子が複数備えられる場合に、
少なくとも一の椅子に備えられる遊技場用椅子カバーは、外部から所定の駆動信号を無線入力して当該カバーに備えられる表示装置を駆動制御するとともに、他の遊技場用椅子カバーに所定の駆動信号を無線出力する親カバーからなり、
少なくとも他の一の椅子に備えられる遊技場用椅子カバーは、前記親カバーから出力される駆動信号を無線入力することにより当該カバーに備えられる表示装置を駆動制御する子カバーからなる請求項２又は３記載の遊技機椅子用カバー。
【請求項５】
前記カバー本体を前記椅子から取り外し不能にロックするロック手段を備える請求項１乃至４のいずれかに記載の遊技場用椅子カバー。
【発明の詳細な説明】
【技術分野】
【０００１】
本発明は、パチンコ・ホールやパチスロ・ホール，ゲーム・センター等の遊技場に備えられる椅子用のカバーに関し、特に、椅子に着脱可能なカバー本体に面状に構成されたLED，LCD，ＥＬ等の表示装置を備え、無線信号で表示装置を駆動制御することにより、簡易な構成のみで任意の椅子の背面に視覚的な演出手段を備えることが可能となり、設置や移動，取り外し等も容易かつ迅速に行え、既存の遊技場等にも直ちに適用が可能で、演出効果に優れた遊技場椅子を低コストで実現することができる遊技場用椅子カバーに関する。
【背景技術】
【０００２】
一般に、パチンコ、スロットマシンなどの遊技機を設置した遊技場では、その営業的な観点から、遊技機の大当たりを派手に演出して遊技者の期待感や達成感，満足感を高めることが重要となっている。
また、遊技機の大当たり時やトラブル，故障等の発生に際して店員が迅速に対応するなど、質の高いサービスを提供することも要求されている。
【０００３】
このため、従来から、パチンコ、スロットマシンなどの遊技機では、遊技を視覚的に演出するために遊技機の上部に複数のランプ等からなる表示器を備えており、遊技機が大当たり状態となったときは、表示器の点灯・点滅状態を変化させることにより、大当たりを演出するとともに、店員や周囲の遊技者に大当たりを報知している。
また、遊技機の上部近傍には、ランプ等を備える呼び出し装置が設けられており、遊技機のトラブル等がある場合には、この呼び出し装置のランプが点灯・点滅して店員等が呼び出され、迅速な対応や必要なサービス等が行われるようになっている。
【０００４】
ここで、呼び出し装置は、本来は、遊技者が店員を呼び出すためのものであるが、遊技機が大当たり状態となった場合にも、呼び出し装置のランプを自動的に点滅させることにより、店員や周囲の遊技者等に大当たりを報知する遊技場システムも提案されている。
また、最近では、隣接する遊技機の表示器や呼び出し装置が相互に連動して大当たりの演出を行う機能が備えられる遊技場システムも提案されている。このような遊技場システムによれば、同列に並ぶ遊技機のうち、いずれかの遊技機が大当たり状態となったときに、その遊技機の表示器や呼び出し装置のランプが点灯するとともに、同列に並ぶ他の遊技機の表示器や呼び出し装置のランプも所定の順序で点灯し、大当たりを演出することができ、これによって、より多くの遊技者に大当たりを報知して入賞した遊技者を称えたり、周囲の他の遊技者に期待感や競争心等を与えることが可能となった。
【０００５】
ところが、以上のような従来の遊技機の表示器や呼び出し装置による大当たりの演出は、単にランプ等を点灯・点滅させているに過ぎないため、その演出効果にも一定の限界があった。
また、呼び出し装置による店員の呼び出し表示についても、単にランプが点灯・点滅するだけであったので、周囲の他のランプ表示等との判別が困難な場合もあり、店員が呼び出し表示を見逃してしまうことも少なくなかった。
【０００６】
そこで、このような遊技機の表示器や呼び出し装置における課題を解消するために、これまで、遊技者が座る遊技場に備えられた椅子に着目し、椅子にランプ等を設けて大当たり等の演出を行うことが提案されている。
椅子を利用した演出は、特に最近の遊技場においては椅子がゆったりとした余裕のある配置となっており、椅子の背面通路側が広く確保されていることから、椅子背面は効果的な視覚演出を行う部位として有効であった。
【０００７】
例えば、特許文献１には、遊技場の椅子の背面に発光装置を設け、その発光装置を遊技機や管理装置からの信号に基づいて駆動させることにより演出を行う「遊技用椅子」が提案されている。
また、特許文献２には、遊技場の椅子の背面に呼び出し装置と連動するランプを設け、隣接する遊技椅子のランプと連動して大当たりの演出を行うようにした「遊技場用椅子」が提案されている。
【０００８】
【特許文献１】特開平０６−１０５９５８号公報（第２−４頁、第１−２図）
【特許文献２】実開平０５−０４８９８６号公報（第６−７頁、第２図）
【発明の開示】
【発明が解決しようとする課題】
【０００９】
しかしながら、以上のような従来提案されている遊技場用の椅子は、ランプや表示装置等の演出手段が椅子背面に一体的に構成されるようになっており、設置するには椅子ごと交換しなければならなかった。
しかも、ランプや表示装置等の表示制御するための駆動信号は、遊技場の床下に敷設したケーブルを経由して遊技機側から椅子側に入力するようになっており、導入にはケーブルの敷設工事等も必要であった。
【００１０】
このため、従来提案されている表示装置付きの新たな椅子を導入するためには、既存の椅子を撤去して交換するとともに、ケーブルの敷設工事等も別途必要となり、導入・設置のための作業負担やコストがきわめて大きくなるという問題が発生した。
また、遊技場自体の構造も変更しなければならないことから、既存の遊技ホール等に直ちに導入することは事実上不可能で、汎用性や拡張性に欠け、現実には新規オープンする遊技場以外には導入できないという問題もあった。
そこで、簡易な構成のみで遊技場の椅子に演出手段を設定でき、しかも、既存設備にも直ちに適用可能な遊技場用椅子の開発が望まれるようになったが、現在までのところ有効な開発・提案はなされていなかった。
【００１１】
本発明は、以上のような従来の技術が有する問題を解決するために提案されたものであり、椅子に着脱可能なカバー本体に面状に構成されたLED，LCD，ＥＬ等の表示装置を備え、無線信号で表示装置を駆動制御することにより、簡易な構成のみで任意の椅子の背面に視覚的な演出手段を備えることが可能となり、設置や移動，取り外し等も容易かつ迅速に行え、既存の遊技場等にも直ちに適用が可能で、演出効果に優れた遊技場椅子を低コストで実現することができる、特に遊技用の椅子が多数列設されるパチンコ・ホールやパチスロ・ホール等の遊技場に好適な遊技場用椅子カバーの提供を目的とする。
【課題を解決するための手段】
【００１２】
上記目的を達成するため、本発明の遊技場用椅子カバーは、請求項１に記載するように、遊技場に備えられる椅子に取り付けられる遊技場用椅子カバーであって、椅子の背もたれ部に着脱可能に装着されるカバー本体と、椅子の背もたれ部背面側に位置するカバー本体の表面に、外部から視認可能に配設される表示装置と、表示装置を駆動制御して所定の表示を行わせる制御手段とを備える構成としてある。
【００１３】
また、本発明の遊技場用椅子カバーは、請求項２に記載するように、制御手段は、外部から所定の駆動信号を無線入力することにより表示装置を駆動制御する構成としてある。
特に、本発明の遊技場用椅子カバーは、請求項３に記載するように、駆動信号が、遊技場に備えられる遊技機の状態に応じて制御手段に無線入力される構成とすることが好ましい。
【００１４】
このような構成からなる本発明の遊技場用椅子カバーによれば、面状に構成されたLED（発光ダイオード）やLCD（液晶表示装置），ＥＬ（エレクトロ・ルミネッセンス）等の表示装置を、椅子に着脱可能なカバー本体に備えることで、椅子背面側で視覚的演出を行う演出手段を、任意の椅子に着脱自在に設けることができる。
また、表示装置は、無線信号を介して駆動制御することにより、配線の敷設や遊技場等への設置工事等も一切必要なく、効果的な視角演出を行える手段をあらゆる種類の遊技場用椅子に対して容易かつ迅速に設けることができる。
そして、無線信号で駆動制御される表示装置は、パチンコ機やパチスロ機のゲームの進行や大当たりの入賞，トラブルの発生等に応じた演出表示や呼び出し表示を行うことができ、多数の遊技機と椅子が列設されるパチンコ・ホールやパチスロ・ホール等に好適な椅子用の演出手段を低コストで簡単に導入，設置することができる。
【００１５】
また、本発明の遊技場用椅子カバーは、請求項４に記載するように、椅子が複数備えられる場合に、少なくとも一の椅子に備えられる遊技場用椅子カバーは、外部から所定の駆動信号を無線入力して当該カバーに備えられる表示装置を駆動制御するとともに、他の遊技場用椅子カバーに所定の駆動信号を無線出力する親カバーからなり、少なくとも他の一の椅子に備えられる遊技場用椅子カバーは、親カバーから出力される駆動信号を無線入力することにより当該カバーに備えられる表示装置を駆動制御する子カバーからなる構成とすることができる。
【００１６】
このような構成からなる本発明の遊技場用椅子カバーによれば、外部からの駆動信号で表示装置が制御される親カバーと、親カバーからの駆動信号により表示装置が制御される子カバーを備えることで、親カバーを中心として複数のカバー間で連動して表示装置を駆動制御することができる。
これにより、親子複数のカバー間で一体的に連動した演出表示等が行えるようになり、例えば横一列に並んだ複数の椅子全体に亘る一体的な演出表示等が可能となって、より効果的な視覚的演出を実現できるようになる。
【００１７】
さらに、本発明の遊技場用椅子カバーは、請求項５に記載するように、カバー本体を椅子から取り外し不能にロックするロック手段を備える構成とすることができる。
【００１８】
このような構成からなる本発明の遊技場用椅子カバーによれば、椅子に着脱可能な椅子カバーを、ロック手段によって椅子から取り外し不能にすることができる。
これにより、椅子に対して着脱・設置が容易に行えるという本発明の特徴を維持しつつ、椅子カバーの盗難等を未然に防止することができ、より信頼性の高い椅子用演出手段として提供することができる。
【発明の効果】
【００１９】
本発明の遊技場用椅子カバーによれば、椅子に着脱可能なカバー本体にLED，LCD，ＥＬ等の面状に構成された表示装置を備え、この表示装置を無線信号等で駆動制御することにより、椅子背面側において視覚的な演出を行うことができる。
このように本発明では、着脱可能な椅子カバーという簡易な構成のみによって、任意の椅子の背面側に視覚的な演出手段を設けることができ、椅子カバーは所望の椅子への設置や移動，取り外し等も容易かつ迅速に行え、既存の遊技場等にも直ちに適用することが可能となる。
これにより、演出効果に優れた遊技場椅子を低コストで実現することができ、特に椅子が多数列設されるパチンコ・ホールやパチスロ・ホール等の遊技場に好適な椅子用の演出手段を実現することができる。
【発明を実施するための最良の形態】
【００２０】
以下、本発明に係る遊技場用椅子カバーの好ましい実施形態について、図面を参照しつつ説明する。
図１は、本発明の一実施形態に係る椅子カバーを取り付けた椅子を示す遊技場の要部斜視図である。
図２は、本発明の一実施形態に係る椅子カバーを示す、椅子に取り付ける前の状態の斜視図、図３は、同じく本実施形態の椅子カバーを椅子に取り付けた状態の斜視図である。
【００２１】
これらの図に示すように、本実施形態に係る椅子カバー３０は、パチンコ機等の遊技機１が設置される遊技場に備えられる椅子３に装着されるカバーである。
図１に示すように、遊技場には、複数の遊技機１を一単位として構成される遊技機島Ｓが備えられ、各遊技島Ｓの両側にそれぞれ所定数の遊技機１が横一列に列設されている。
遊技機島Ｓの各遊技機１の上部近傍位置には、遊技者が店員を呼び出すための呼び出し装置２がそれぞれ設置されている。
そして、各遊技機１の前方近傍位置に、各遊技機１に対応して、遊技者が座るための椅子３が複数設置され、各椅子３に、本実施形態に係る椅子カバー３０が装着されるようになっている。
【００２２】
［遊技機］
遊技機１は、パチンコ玉を遊技媒体として遊技を行うパチンコ機や、メダルを遊技媒体として遊技を行うパチスロ機（スロットマシン）等からなり、図１では遊技機１がパチンコ機の場合を示している。
パチンコ機やパチスロ機等の遊技機では、遊技中に所定の内部当たり抽選が行われ、抽選の結果大当たり等に当選すると、短時間に多くの遊技媒体を獲得可能な大当たり状態となる。そして、大当たり状態になると、遊技機１の盤面上に備えられたリールの動作や液晶画面の表示によって大当たりの演出が行われる。また、遊技機１の上部に備えられた複数のランプ等で構成される表示器１１の点灯・点滅により、店員や周囲の遊技者に対して大当たり状態が報知される。
【００２３】
また、遊技機１は、遊技中に各種の信号を出力するようになっており、具体的には、遊技状態報知信号、トラブル報知信号、不正報知信号などの信号を外部に出力する。
遊技状態報知信号は、大当たり状態やその他の内部当たり状態，確率変動状態など、遊技機１の遊技状態に応じて出力される信号である。トラブル報知信号は、遊技媒体の詰り、遊技媒体の不足など、遊技機１におけるトラブルの発生に応じて出力される信号である。不正報知信号は、例えば磁石や体感機等の不正器具の使用や偽造コインの使用など、遊技機１における不正行為の発生に応じて出力される信号である。
これらの各信号は、遊技機１と電気的に接続される呼び出し装置２及び図示しない管理装置（ホールコンピュータ）に出力され、遊技場に備えられる全遊技機１の状態やデータ等が一括管理されるようになっている。
そして、本実施形態では、このような各遊技機１の状態等に応じて、椅子３に装着された椅子カバー３０に所定の演出表示が行われるようになっている。
【００２４】
［呼び出し装置］
呼び出し装置２には、呼び出し用の複数のランプ等が備えられるとともに、遊技者等が手動操作する呼び出しスイッチが設けられている。これにより、遊技者が呼び出しスイッチを押すと、呼び出し装置のランプが所定のパターンで点灯・点滅され、店員に呼び出し状態が報知される。
また、呼び出し装置２は、上述した遊技機１から出力される遊技状態報知信号やトラブル報知信号，不正報知信号などを入力するようになっており、入力した信号に応じたパターンで呼び出し装置２のランプが点灯・点滅される。これによって、遊技機１における遊技状態やトラブルの発生、不正行為の発生などが店員に報知されるようになっている。
【００２５】
また、呼び出し装置２は、遊技機１から入力された遊技状態報知信号、トラブル報知信号、不正報知信号などをさらに外部に出力し、また、呼び出しスイッチ２２が操作されたとき、呼び出し報知信号を外部に出力する。
これによって、遊技機１からの遊技状態報知信号，トラブル報知信号，不正報知信号や、呼び出し操作による呼び出し報知信号は、呼び出し装置２を介して管理装置等に入力されて遊技機１の状態が管理される。
そして、上述したように、このような各遊技機１の状態等に応じて、椅子３に装着された椅子カバー３０に所定の演出表示が行われるようになっている。
【００２６】
[椅子及び椅子カバー]
椅子３は、遊技者が座る座部３ａと遊技者の背中を支える背もたれ部３ｂ，座部３ａ及び背もたれ部３ｂを支持する脚部３ｃ等を備えている。
そして、この椅子３の背もたれ部３ｂに、椅子カバー３０が装着され、椅子背面側において表示装置３２による視覚的演出が行われるようになっている。
椅子カバー３０は、図２及び図３に示すように、椅子３の背もたれ部３ｂに着脱可能に装着されるカバー本体３１と、椅子３の背もたれ部３ｂの背面側に位置するカバー本体表面に、外部から視認可能に配設される表示装置３２と、表示装置３２を駆動制御して所定の表示を行わせる制御手段（図４に示す制御部３５）と、表示装置３２及び制御部３５に電源を供給するバッテリ３３と、カバー本体３１を椅子３から取り外し不能にロックするロック３４を備えている。
【００２７】
カバー本体３１は、椅子３の背もたれ部３ｂに装着可能な袋状に形成されており、背もたれ部３ｂの椅子背面側に位置する表面に、表示装置３２が備えられている。
なお、カバー本体３１は、例えば、布，合成樹脂，不織布等の任意の材質により形成でき、形状，大きさは装着する椅子３に対応して設定される。なお、カバー本体３１を形成する部材としては、可撓性に優れた部材を使用することが好ましい。可撓性に優れたカバー本体３１を使用することで、形状や大きさ等が異なる種々の椅子３にも装着することができ、より汎用性の高いカバーを提供することができる。
また、本実施形態ではカバー本体３１を袋状に形成してあるが、椅子３の背もたれ部３ｂに装着可能で、かつ、椅子背面側に表示装置３２を配設可能な限り、カバー本体３１の構成は袋状のみに限定されず、例えば、前掛け状，エプロン状等に構成することもできる。
【００２８】
表示装置３２は、図４に示すように、複数の発光素子３２ａと、これを覆う光拡散カバー３２ｂとを備え、複数の発光素子３２ａが二次元的に配列されて構成されている。
発光素子３２ａは、図４に示すように、例えばＬＥＤ（発光ダイオード）からなり、ＬＥＤがプリント基板３２ｅ上にマトリクス状に配列されて構成される。
そして、この発光素子３２ａが所定のパターンで駆動制御されることにより、２次元的な画像や文字が所定の解像度でドット表示されるようになっている。
また、発光素子３２ａの椅子背面側には、弾性を有する合成樹脂等からなる保護カバー３２ｄが備えられ、椅子側からの衝撃等を吸収して発光素子３２ａが衝撃等から保護されるようになっている。
【００２９】
ここで、ＬＥＤをマトリックス状に実装するプリント基板３２ｅとしては、カバー本体３１に対応させて、可撓性に優れたフレキシブルプリント基板を用いることが好ましい。このようにすれば、カバー本体３１を可撓性の高い材質で形成した場合に、カバー本体３１が椅子３の形状等により撓んでも表示装置３２に破損，断線等が発生することがなくなり、信頼性の高い製品を提供することができる。
可撓性の高いフレキシブルプリント基板としては、例えば、ポリイミド銅張積層板からなるプリント基板を用いることができる。
【００３０】
光拡散カバー３２ｂは、例えば、透光性の樹脂板で構成されており、その内面部には、発光素子３２ａの発光を屈折により拡散させる多数の凸部３２ｃが形成されている。これにより、表示装置３２においてドットの目立たない画像表示や文字表示を行うことが可能になる。この光拡散カバー３２ａについても、発光素子３２ａを実装するフレキシブルプリント基板に対応して、可撓性を有する薄型の樹脂板等で形成することが好ましい。
なお、以上のような表示装置３２を構成する発光素子３２ａの個数や配列，発光色などは任意に選択することができる。
例えば、複雑な文字や画像等を表示する場合には多数の発光素子３２ａを配列し、一方、表示する画像又は文字が特定のものに限定されているような場合には、数多くの発光素子３２ａをマトリクス状に配列することなく、必要最低限の発光素子３２ａを表示する画像又は文字の形状に合せて配列することができる。
【００３１】
また、表示装置３２としては、本実施形態ではＬＥＤを面状に配設して構成したが、これ以外にも、例えば、ＬＥＤ（液晶表示装置）やＥＬ（エレクトロ・ルミネッセンス）等の表示装置を採用することもできる。すなわち、表示装置３２は、カバー本体３１の表面に取り付け可能な面状で薄型の表示装置であれば、どのような表示装置であっても選択することができる。
液晶やＥＬ表示装置の場合には、ＬＥＤよりも高精細，高解像度の画像表示も可能となる利点がある一方で、表示装置が高価になるので、表示させる文字や画像内容，導入する椅子カバー３０の数や予算等に応じて、適宜表示装置の構成，種類を設定することが好ましい。
【００３２】
バッテリ３３は、表示装置３２と後述する制御部３５（図５参照）に電力を供給する電源であり、本実施形態では、図２及び図３に示すように、カバー本体３１とは別体に形成された小型の筐体状をなし、内部に乾電池や充電式電池等の電源が収納され、ケーブルを介して表示装置３２に接続されるようになっている。
そして、バッテリ３３は、カバー本体３１から椅子３の背もたれ部３ｂに装着された状態では、椅子３の座部３ａや脚部３ｃ側に取り回されて遊技者の邪魔にならないように配設される。
【００３３】
ロック部３４は、カバー本体３１を椅子３から取り外し不能にロックするロック手段であり、本実施形態では、図２及び図３に示すように、バッテリ３３の先端部に植設されたワイヤ３４ａと、ワイヤ３４ａを環状にロックするカギ部３４ｂからなり、ワイヤ３４ａが椅子３の脚部３ｃに巻装された状態でロック及び解除されるようになっている。このロック部３４でロックされることにより、カバー本体３１は、椅子３の脚部３ｃから取り外し不能となる。これにより、椅子３に対して着脱・設置が容易に行えるという本実施形態の椅子カバー３０の利点を最大限に生かしつつ、椅子カバー３０の盗難等を未然に防止することができる。
なお、ワイヤ３４ａをロックするカギ部３４ｂとしては、例えば、南京錠やシリンダ錠，ダイヤル錠，カードキー等、公知のカギ手段を用いて構成することができる。
【００３４】
制御部３５は、表示装置３２を駆動制御して所定の表示を行わせる制御手段であり、図４に示すように、例えばカバー本体３１内の表示装置３２のプリント基板３２ｅ上に実装されるＩＣチップやＲＦＩＤ等で構成される。
図５は、本実施形態に係る制御部３５を示すブロック図である。
同図に示すように、制御部３５は、ＩＣチップやＲＦＩＤ等からなり、ＣＰＵ３５ａと記憶部３５ｂ，駆動信号送受信部３５ｃ，アンテナ３５ｄ，ＬＥＤ駆動回路３５ｅなどを備えて構成されている。
【００３５】
ＣＰＵ３５ａは、プログラムに従って表示装置３２を駆動制御する中央演算装置である。
記憶部３５ｂは、ＣＰＵ３５ａによって実行されるプログラムが記憶されている。本実施形態では、後述するように、表示装置３２の表示態様として通常表示モード，大当たり表示モード，トラブル表示モード，不正表示モード，呼び出し表示モード等を行うようになっており、記憶部３５ｂに格納されるプログラムについても、通常表示モード用データ（機種名表示用，新機種表示用），大当たり表示モード用データ（単独表示用，複数連動表示用，遊技機・呼び出し装置連動表示用等），トラブル表示モード用データ（単独表示用，呼び出し装置連動表示用），不正表示モード用データ（単独表示，呼び出し装置連動表示）及び呼び出し表示モード用データ（単独表示、呼び出し装置連動表示）等の各種データが備えられており、予め記憶部３５ｂに記憶されるようになっている。
【００３６】
駆動信号送受信部３５ｃは、アンテナ３５ｄを介して、外部から所定の駆動信号を無線入力してＣＰＵ３５ａに送出する。この駆動信号により、ＣＰＵ３５ａはＬＥＤ駆動回路３５ｅを介して表示装置３２を駆動制御する。また、駆動信号送受信部３５ｃは、ＣＰＵ３５ａからの指令により、アンテナ３５ｄを介して、所定の駆動信号を外部に無線出力する。
ＬＥＤ駆動回路３５ｅは、ＣＰＵ３５ａの指令により、表示装置３２を駆動する回路である。
【００３７】
ここで、アンテナ３５を介して制御部３５に無線入力される駆動信号は、椅子カバー３０以外の外部の装置，機器から入力されるようになっている。
外部の装置，機器としては、例えば、遊技機１や呼び出し装置２，図示しない管理装置（ホールコンピュータ）、あるいは他の椅子カバー３０等がある。
また、駆動信号専用の無線送信装置を外部装置として備えることもできる。このようにすれば、例えば、従業員が携帯操作できる無線送信装置によって任意のタイミングで駆動信号を椅子カバー３０に無線入力し、表示装置３２を駆動させることが可能となる。
【００３８】
そして、無線入力される駆動信号は、遊技機１の状態に応じて制御部３５に入力されるようになっている。
例えば、遊技機１が待機状態の場合には、表示装置３２に遊技機の機種名等を表示させる通常表示信号が入力される。また、遊技機１の遊技中に大当たりが発生した場合には、表示装置３２に大当たり用の演出表示を表示させる大当たり表示信号が入力される。また、呼び出し装置が操作された場合には、表示装置３２に所定の呼び出し表示を表示させる呼び出し表示信号が入力され、不正行為が検知された場合には、表示装置３２に所定の不正表示を表示させる不正表示信号が入力される。
このようにして、本実施形態の椅子カバー３０では、表示装置３２において、パチンコ機やパチスロ機のゲームの進行や大当たりの発生等に応じた演出表示やトラブル表示，呼び出し表示等が行われるようになっており、パチンコ・ホールやパチスロ・ホールに好適な椅子用の演出手段となっている。
【００３９】
そして、本実施形態では、複数備えられた椅子３にそれぞれ椅子カバー３０が装着される場合に、一の椅子カバー３０を親カバーとし、他の椅子カバー３０を子カバーとして構成するようにしてある。
親カバーは、少なくとも一の椅子に備えられる椅子カバー３０であって、遊技機１や管理装置等の上述した外部の装置，機器から所定の駆動信号を無線入力して表示装置３２を駆動制御する。そして、親カバーは、一又は二以上の他の椅子カバー３０（子カバー）に対して駆動信号を無線出力するようになっている。
子カバーは、親カバーの椅子３に隣接する他の椅子３に装着される椅子カバー３０で、親カバーから出力される駆動信号を無線入力することにより表示装置３２を駆動制御する。そして、子カバーは、一又は二以上の他の椅子カバー３０（子カバー）に対して駆動信号を無線出力するようになっている。従って、子カバーは親カバーから駆動信号を入力する点で子カバーであるとともに、他の子カバーに駆動信号を出力する点で親カバーでもある。
【００４０】
具体的には、親カバーと子カバーは、例えば、遊技機島Ｓの片側一列の遊技機１を一ユニットとして、一つの椅子３に装着される親カバーと、残りの椅子３に装着される子カバーで構成する。
親カバーは、例えば大当たり演出の場合には、ユニット内にあるいずれかの遊技機１が大当たりすると、外部から「演出開始」の駆動信号を無線入力し、自らの表示装置３２を駆動制御して大当たり演出を開始するとともに、所定時間経過後（例えば０．５秒後）に隣接する両隣の子カバーに対して「演出開始」の駆動信号を出力する。
子カバーは、親カバーから「演出開始」の駆動信号を無線入力すると、自らの表示装置３２を駆動制御して大当たり演出を開始するとともに、所定時間経過後に更に隣接する子カバーに対して「演出開始」の駆動信号を出力する。このようにして、順次駆動信号が無線入力され、島全体の椅子カバー３０の表示装置３２で大当たり演出が開始される。
【００４１】
大当たりが終了すると、演出開始のときと同様に、親カバーが外部から「演出終了」の駆動信号を無線入力して、自らの表示装置３２の演出表示を終了させるとともに、隣接する子カバーに「演出終了」の駆動信号を出力する。親カバーから「演出終了」の駆動信号を無線入力した子カバーは、自らの表示装置３２の演出を終了させるとともに、更に隣接する他の子カバーに「演出終了」の駆動信号を出力する。これによって、島全体の大当たり演出が終了する。
なお、「演出終了」の場合には、各カバーの制御部３５によるタイマ制御により、「演出開始」から一定時間経過後に自動的に演出を終了させることもできる。
【００４２】
ここで、親カバー・子カバー間の無線信号の送受信は、隣接する椅子カバー３０同士の範囲でのみ送受信できる無線方式を用いることが好ましい。
例えば、パチンコ機やパチスロ機の場合には、遊技機１の横幅は約５０ｃｍ程度であり、台間サンド（遊技媒体貸し機）の横幅が約３〜１０ｃｍ程度であるので、遊技機１に対応して設置される椅子３の間隔は約５０〜６０ｃｍとなる。従って、無線方式も約５０〜６０ｃｍの距離で認識可能な電磁誘導式の無線方式を採用することが好ましい。
このようにすると、隣接するカバー間でのみ駆動信号の無線送受信が行われるので、親カバーから隣接する子カバーに順次連動する演出表示を行わせることができ、視覚的効果に優れた演出が可能となる。
なお、隣接する複数の島にそれぞれ別ユニットで親カバー・子カバーのセットを備える場合には、ユニット毎に使用周波数やＩＤ番号等を異ならせることで、ユニット間での混信や誤動作等の発生を防止することができる。
【００４３】
このような構成からなる本実施形態の椅子カバー３０によれば、外部からの駆動信号で表示装置が制御される親カバーと、親カバーからの駆動信号により表示装置が制御される子カバーを備えることで、親カバーを中心として複数のカバー間で連動して表示装置を駆動制御することができる。
これによって、親子複数のカバー間で一体的に連動した演出表示等が行えるようになり、例えば横一列に並んだ複数の椅子全体に亘る一体的な演出表示等が可能となって、より効果的な視覚的演出を実現できるようになる。
【００４４】
なお、以上のような構成からなる本実施形態の椅子カバー３０は、島単位，ユニット単位で複数の椅子３に装着したり、遊技場に備えられるすべての椅子３に装着することができるとともに、特定の一又は二以上の椅子３のみに装着することもできる。
例えば、図１に示すように、遊技機島Ｓにある全遊技機に共通の椅子カバー３０を装着することができる。このようにすると、遊技機島Ｓの単位で共通の演出を行ったり、横一列に並ぶ椅子全体に亘って連動した演出を行うことができ、特に新規導入した遊技機１について島単位で演出することで宣伝効果，集客効果を高めることができる。
【００４５】
また、遊技場に設置される椅子のうち、ある特定の椅子３のみに椅子カバー３０を装着することもできる。このようにすると、その日の売出し台の遊技機１の椅子３のみに椅子カバー３０を装着して、その売出し台についての宣伝効果を高めることができる。
一方、遊技場が新規オープンするような場合には、遊技場に設置されるすべての椅子３に椅子カバー３０を装着して、遊技場全体で統一的な演出を行うこともできる。
【００４６】
このように、本実施形態の椅子カバー３０の装着形態は、任意の椅子３に着脱可能であることから、遊技場における遊技機の種類・数・配列、宣伝広告や営業方針等に応じて柔軟に対応することができる。
また、特定の遊技機島単位や少数の椅子のみに椅子カバー３０を装着する場合には、遊技場の全椅子に装着する場合と比較してコストを抑制できる効果もある。
【００４７】
［表示態様］
次に、以上のような構成からなる本実施形態の遊技場用椅子カバーの動作（表示態様）について説明する。
［通常表示モード］
図６は、通常表示モードの表示例として機種名表示及び新機種表示を示す表示装置の背面図である。
この図に示すように、通常表示モードでは、記憶部３５ｂに記憶された通常表示モード用データに基づいて表示装置３２が表示動作され、例えば、その椅子３に対応した遊技機１の機種名表示や、その遊技機１が新機種であることを示す新機種表示などが選択的に行われる。
【００４８】
具体的には、通常表示モードの機種名表示としては、図６の（ａ）に示す文字表示（例えば「ＡＢＣ」）や、機種を特定可能なキャラクタ表示等を表示することができ、遊技者が機種名を容易に認識可能な表示とすることが好ましい。
また、通常表示モードの新機種表示としては、図６の（ｂ）に示す文字表示（例えば「ＮＥＷ」）で行うことができ、これにより、その遊技機１が新機種であることが遊技者にとって容易に認識することが可能になる。
【００４９】
［大当たり表示モード］
図７は、大当たり表示モードの表示例を示す表示装置の背面図である。
同図に示すように、大当たり表示モードでは、記憶部３５ｂに記憶された大当たり表示モード用データに基づいて表示装置３２で大当たりの演出表示が行われる。なお、大当たりの際には、一般の遊技場の場合と同様、遊技機１の表示器１１や呼び出し装置２のランプにおいても大当たりの表示・演出が行われる。
大当たり表示モードの表示パターンとしては、一つの椅子３の椅子カバー３０の表示装置３２が単独で大当たり表示を行うパターンや、表示装置３２と遊技機１の表示器１１，呼び出し装置２が連動して一体的な大当たり表示を行うパターン、さらに、複数の椅子３の椅子カバー３０の表示装置３２（及び遊技機１の表示器１１，呼び出し装置２）が島単位等で連動して一体的な大当たり表示を行うパターン等があり、いずれかのパターンが任意に設定されて選択される。
【００５０】
図７に示す例では、表示装置３２が単独で大当たり表示を行うパターンを示しており、表示画像（例えば、花火画像）が時間の経過に伴って変化するように、予め複数の表示画像データを記憶しておき、これを時間の経過に伴って順次表示するようにしてある（図７（ａ）〜（ｄ）参照）。このようにすると、同じ画像や文字を続けて表示する場合に比べ、アピール度の高い表示・演出を行うことが可能になる。
なお、図７では、表示装置３２の表示ドットを複数種類の記号（○，□、×）で示しているが、これは発光素子３２ａの発光色が記号毎に相違することを意味している。
【００５１】
［トラブル表示モード］
図８は、トラブル表示モードの表示例を示す表示装置の背面図である。
なお、トラブル表示モードの他に、表示装置における表示態様として不正表示モードや呼び出し表示モードも行えるが、表示内容としては、表示文字が異なる点を除いてトラブル表示モードの表示動作とほぼ同様であり、詳細説明は省略する。
図８に示すように、トラブル表示モードでは、記憶部３５ｂに記憶されたトラブル表示データにもとづいて、椅子カバー３０の表示装置３２と呼び出し装置２のランプなどが表示動作され、トラブルの発生が報知される。
トラブル表示モードの表示パターンとしては、表示装置３２が単独でトラブル表示を行うパターンと、表示装置３２及び呼び出し装置ランプ２１が互いに連動して一体的なトラブル表示を行うパターンとがあり、いずれかのパターンが予め設定・選択される。
【００５２】
図８に示すように、椅子カバー３０の表示装置３２が単独でトラブル表示を行うパターンとしては、例えば、表示画像が時間の経過に伴って変化するように、予め複数の表示画像データを記憶し、これを時間の経過に伴って順次表示することができる。このようにすると、同じ画像や文字を続けて表示する場合に比べ、アピール度の高い表示を行うことが可能になる。
例えば、本実施形態では、図８に示すように、トラブルの発生を意味する文字画像（例えば「Ｔ」）と、その反転画像を予め記憶し、これらを交互に表示することにより、トラブル表示のアピール度を高めている。
不正表示モードや呼び出し表示モードの場合には、トラブル表示モードと同様の制御により、表示文字を不正を示す文字（例えば「不正」）や呼び出しを示す文字（例えば「呼」）を表示するようにする。
【００５３】
以上説明したように、本実施形態に係る遊技場用椅子カバーによれば、面状に構成されたLEDやLCD，ＥＬ等の表示装置を、椅子に着脱可能なカバー本体に備えることで、椅子背面側で視覚的演出が行える演出手段を、任意の椅子に着脱自在に設けることができる。
また、表示装置は、無線信号を介して駆動制御することにより、配線の敷設や遊技場等への設置工事等を一切必要とすることなく、効果的な視角演出を行える手段を、あらゆる遊技場用椅子に対して容易に設けることができる。
そして、無線信号で駆動制御される表示装置は、パチンコ機やパチスロ機のゲームの進行や大当たりの発生等に応じた演出表示を行うことができ、多数の遊技機と椅子が列設されるパチンコ・ホールやパチスロ・ホール等に好適な椅子用の演出手段を、低コストで迅速に導入，設置することができる。
【００５４】
以上、本発明の遊技場用椅子カバーについて、好ましい実施形態を示して説明したが、本発明に係る遊技場用椅子カバーは、上述した実施形態にのみ限定されるものではなく、本発明の範囲で種々の変更実施が可能であることは言うまでもない。
例えば、上述した各実施形態では、本発明を適用する遊技場に設置される遊技機としてパチンコ機やパチスロ機を例にとって説明したが、本発明に係る遊技場用椅子カバーを適用できる遊技場の遊技機としては、特にパチンコ機やパチスロ機に限られるものではない。本発明に係るカバーを装着可能な椅子が備えられる遊技場であれば、設置される遊技機の種類は特に限定されない。パチンコ機，パチスロ機以外の遊技機としては、例えば、スロットマシン，アレンジボール機，雀球機等、玉やコイン等の遊技媒体を使用して遊技を行う各種の遊技機や、テレビゲーム機等があり、いずれも本発明の適用対象とすることができる。
【００５５】
また、本発明を適用可能な遊技場としては、上述したパチンコ機やパチスロ機等の遊技機が設置される遊技場に限られるものではなく、例えば、競技場，野球場，劇場等のように遊技機が備えられない遊技場であってもよい。
すなわち、本発明は、カバーを装着可能な椅子が備えられる限り、どのような種類の遊技場であっても適用することが可能である。
【産業上の利用可能性】
【００５６】
以上説明したように、本発明の遊技場用椅子カバーは、パチンコ機を設置したパチンコ・ホールや、パチスロ機を設置したパチスロ・ホール等の遊技場に備えられる椅子のカバーとして好適に利用できる。
【図面の簡単な説明】
【００５７】
【図１】本発明の一実施形態に係る椅子カバーを取り付けた遊技場用椅子を示す遊技場の要部斜視図である。
【図２】本発明の一実施形態に係る椅子カバーを示す、椅子に取り付ける前の状態の斜視図である。
【図３】図２に示す椅子カバーを椅子に取り付けた状態の斜視図である。
【図４】本発明の一実施形態に係る椅子カバーの表示装置の要部断面図である。
【図５】本発明の一実施形態に係る椅子カバーの制御部を示すブロック図である。
【図６】本発明の一実施形態に係る椅子カバーにおける表示態様の一例を示す椅子背面図である。
【図７】本発明の一実施形態に係る椅子カバーにおける表示態様の一例を示す椅子背面図である。
【図８】本発明の一実施形態に係る椅子カバーにおける表示態様の一例を示す椅子背面図である。
【符号の説明】
【００５８】
Ｓ  遊技機島
１  遊技機
２  呼び出し装置
３  椅子
１１  表示器
３０  椅子カバー
３１  カバー本体
３２  表示装置
３３  バッテリ
３４  ロック部
３５  制御部
【図１】
2006136593.tif 000003
【図２】
2006136593.tif 000004
【図３】
2006136593.tif 000005
【図４】
2006136593.tif 000006
【図５】
2006136593.tif 000007
【図６】
2006136593.tif 000008
【図７】
2006136593.tif 000009
【図８】
2006136593.tif 000010